(57)【要約】【課題】容易に携帯することができ、必要なときに、簡易に傘袋を使用することができ、宣伝用にも用いることができる携帯用傘袋セットを提供する。【解決手段】携帯用傘袋セット１０は、折り畳んだ状態の傘袋１１が、傘袋収納袋１２に収納されており、ポケット、カバンなどに入れて持ち運びができる構成となっている。携帯用傘袋セット１０は、傘袋収納袋１２が、ポリエチレンなどの素材の表面にラベル印刷され、または印刷物が傘袋収納袋内部１２ａに収納されることで、宣伝用として配布されるように構成され、ノベルティなど有効な宣伝媒体として用いることができる。【選択図】図１
0003213374.tif 000002
【実用新案登録請求の範囲】
【請求項１】
傘の濡れた部分が収納されるように傘袋内部と傘袋開口部を有する樹脂で形成された傘袋と、
折り畳まれた状態の１または複数の前記傘袋が収納されるように傘袋収納袋内部と傘袋収納袋開口部を有する樹脂で形成された傘袋収納袋と、を有し、
前記１または複数の折り畳まれた状態の傘袋が、前記傘袋収納袋内部に収納された状態で携帯され、必要に応じ、前記傘袋が、前記傘袋収納袋開口部から引き出され、前記濡れた傘の部分が収納されるように構成されていることを特徴とする携帯用傘袋セット。
【請求項２】
前記傘袋収納袋開口部は、前記傘袋収納袋の端部に設けられており、前記傘袋収納袋開口部を開閉する傘袋収納袋チャック部を有することを特徴とする請求項１に記載の携帯用傘袋セット。
【請求項３】
前記傘袋収納袋開口部は、前記傘袋収納袋の上面に設けられており、ミシン目を有し、前記ミシン目を破ることで前記傘袋収納袋内部に収納されている前記傘袋が、引き出されるように構成されていることを特徴とする請求項１に記載の携帯用傘袋セット。
【請求項４】
前記傘袋収納袋は、ラベル印刷または印刷物の収納により、宣伝用として配布されるように構成されていることを特徴とする請求項１から請求項３のいずれかに記載の携帯用傘袋セット。
【考案の詳細な説明】
【技術分野】
【０００１】
本考案は、携帯用傘袋セットに関する。
【背景技術】
【０００２】
百貨店その他の不特定多数の人達が出入りする場所では、雨の日に濡れた傘を持ち歩くと、種々な不具合が生ずる。これを防ぐために、傘に傘袋を装着する装置が入口に設置されており、例えば、傘袋装着装置の装着機構に傘の挿入に連動し、傘の先端の到着に先立って袋を開口する開袋片を設けて装着を確実にするようにしたものが開示されている（特許文献参照）。
【先行技術文献】
【特許文献】
【０００３】
【特許文献１】特開平０９−１３２２１５号公報
【考案の概要】
【考案が解決しようとする課題】
【０００４】
しかし、上記の傘袋を装着する装置は、百貨店その他の不特定多数の人達が出入りする場所に設けられ、この装置が設置されているところでのみ濡れた傘を傘袋に入れることができるものであるが、電車の中などで、雨に濡れた傘を簡易に傘袋に入れることができるものが求められていた。
【０００５】
本考案は、こうした点に鑑みてなされたものであり、容易に携帯することができ、必要なときに、簡易に傘袋を使用することができ、宣伝用にも用いることができる携帯用傘袋セットを提供することである。
【課題を解決するための手段】
【０００６】
上記課題を解決するために、  傘の濡れた部分が収納されるように傘袋内部と傘袋開口部を有する樹脂で形成された傘袋と、
折り畳まれた状態の１または複数の前記傘袋が収納されるように傘袋収納袋内部と傘袋収納袋開口部を有する樹脂で形成された傘袋収納袋と、を有し、前記１または複数の折り畳まれた状態の傘袋が、前記傘袋収納袋内部に収納された状態で携帯され、必要に応じ、前記傘袋が、前記傘袋収納袋開口部から引き出され、前記濡れた傘の部分が収納されるように構成されていることを特徴とする。
【０００７】
本考案に係る携帯用傘袋セットの態様について、前記傘袋収納袋開口部は、前記傘袋収納袋の端部に設けられており、前記傘袋収納袋開口部を開閉する傘袋収納袋チャック部を有することが好ましい。
【０００８】
本考案に係る携帯用傘袋セットの態様について、前記傘袋収納袋開口部は、前記傘袋収納袋の上面に設けられており、ミシン目を有し、前記ミシン目を破ることで前記傘袋収納袋内部に収納されている前記傘袋が、引き出されるように構成されていることが好ましい。
【０００９】
本考案に係る携帯用傘袋セットの態様について、前記傘袋収納袋は、ラベル印刷または印刷物の収納により、宣伝用として配布されるように構成されていることが好ましい。
【考案の効果】
【００１０】
本考案によれば、容易に携帯することができ、必要なときに、簡易に傘袋を使用することができ、宣伝用にも用いることができる携帯用傘袋セットを提供することができる。
【図面の簡単な説明】
【００１１】
【図１】実施形態の携帯用傘袋セットを説明する模式図である。
【考案を実施するための形態】
【００１２】
以下、本考案の携帯用傘袋セットを、図１を用いて説明する。なお、実施形態の携帯用傘袋セット１０は、本考案の携帯用傘袋セットの一例であり、これに限定されず、携帯用傘袋セットは、傘袋を簡易に持ち運びでき、必要に応じ適宜使用できる傘袋を収納する傘袋収納袋を有するものであればよい。
【００１３】
図１（ａ）は、実施形態の傘袋１１を示す模式図である。また、図１（ｂ）及び図１（ｃ）は、折り畳まれた状態の傘袋１１が、傘袋収納袋１２及び傘袋収納袋１３に収納されている状態を示す模式図である。なお、図１（ｂ）及び図１（ｃ）は、説明の便宜上、図１（ａ）と比較して拡大された図となっている。また、傘袋収納袋１２及び傘袋収納袋１３は、特に区別する必要がない場合、傘袋収納袋１２として説明する。
【００１４】
傘袋１１は、図１（ａ）に示すように、傘袋内部１１ａと傘袋開口部１１ｂを有しており、傘の濡れた部分が収納されるように形成されている。傘袋１１は、樹脂で形成されており、例えば、素材が合成樹脂フィルム、ゴムなど水を弾くもので形成されているが、素材、形態など多種のものがあり、これに限定されるものではない。
【００１５】
傘袋収納袋１２は、図１（ｂ）に示すように、傘袋収納袋内部１２ａと傘袋収納袋開口部１２ｂを有しており、折り畳んだ状態の傘袋１１が収納されるように形成されている。傘袋収納袋１２は、樹脂で形成されており、例えば、ポリエチレン、ポリプロピレンなどで形成されているが、素材、形態など多種のものがあり、これに限定されるものではない。
【００１６】
傘袋収納袋１２に収納される上記の傘袋１１は、例えば、３つであるがこれに限定されず、１または複数であればよく適宜最適な数量にするとよい。傘袋収納袋１２は、傘袋１１の形状や折り畳んだ状態、また収納される数量により適宜最適な素材、形状にすればよい。
【００１７】
上記のとおり携帯用傘袋セット１０は、折り畳んだ状態の１または複数の傘袋１１が、傘袋収納袋１２に収納されている構成であり、ポケット、カバンなどに入れて持ち運びができる構成となっている。
【００１８】
一例として、傘袋収納袋１２の大きさは、横を略１２センチメートル及び縦を略１１センチメートルとすることができ、手軽に持ち運びができる携帯用傘袋セット１０とすることができ、この場合の折り畳んだ傘袋１１の大きさは、上記の傘袋収納袋内部１２ａに入る大きさにすることが望ましい。上記の例は一例であり、携帯用傘袋セット１０は、傘袋収納袋１２の大きさと傘袋１１の大きさを適宜選択し、携帯できる大きさにするとよい。
【００１９】
このように手軽に持ち運びができる携帯用傘袋セット１０は、急に雨が降り、傘を用いた後に、例えば電車に乗ったときなど、傘袋収納袋内部１２ａに収納されている傘袋１１を、傘袋収納袋開口部１２ｂから引き出して、この引き出された傘袋１１に濡れた傘の部分が、収納されるように構成されている。
【００２０】
上記の傘袋収納袋１２は、ポリエチレン、ポリプロピレンなどの素材の表面に、ラベル印刷がされてもよく、また、印刷物が傘袋収納袋内部１２ａに収納されてもよい。このようなラベル印刷や印刷物を有する携帯用傘袋セット１０は、宣伝用として配布されるように構成されており、ノベルティなど有効な宣伝媒体として用いることができる。なお、上記のとおり傘袋収納袋１２についての説明は、傘袋収納袋１３に該当するものである。
【００２１】
ここで、傘袋収納袋１２の具体的な一例について説明する。傘袋収納袋開口部１２ｂは、傘袋収納袋１２の端部に設けられており、傘袋収納袋開口部１２ｂを開閉する傘袋収納袋チャック部１２ｃを有している。携帯用傘袋セット１０が、傘袋収納袋チャック部１２ｃを有することで、傘袋収納袋１２に収納されている傘袋１１のはみだしを防止することができる。なお、傘袋収納袋チャック部１２ｃは、一例であり、傘袋収納袋開口部１２ｂを開閉する機能を有するものであればよい。
【００２２】
次に、傘袋収納袋１３の具体的な一例について説明する。傘袋収納袋開口部１３ｂは、傘袋収納袋１３の上面に設けられており、ミシン目を有している。そして、このミシン目を破ることで傘袋収納袋内部１３ａに収納されている傘袋１１が、引き出されるように構成されている。
【００２３】
上記の特徴を有する携帯用傘袋セット１０は、これを携帯し、濡れた傘に用いることで、電車、バス、量販店、事務所、エレベーターなど、人混みの多い場所で自分や他人の衣服などを濡らすシーンが多々あったが、このようなことを防ぐことができ、この考案により、自分や他人の不愉快な思いを解消することができる。また、使用していない傘袋１１は、使用後の傘袋１１を収納するために用いてもよく、このようにすることで、濡れている使用後の傘袋１１を処理することができる。
【００２４】
以上、本考案の有する特徴及び優れた点を上記実施形態に記載したが、本考案は、本願の実用新案登録請求の範囲で使用されている言葉を広く一般的な意味に拡張して実施することができる。
【００２５】
また、本考案の携帯用傘袋セットは、大きさや形状、素材の種類、厚さ、重さなどについては多様な実施形態が可能であり、それらについて本実施形態と異なる形態による実施は、本考案の技術的範囲に含まれる。
【符号の説明】
【００２６】
１０    携帯用傘袋セット
１１            傘袋
１１ａ          傘袋内部
１１ｂ          傘袋開口部
１２，１３      傘袋収納袋
１２ａ，１３ａ  傘袋収納袋内部
１２ｂ，１３ｂ  傘袋収納袋開口部
１２ｃ          傘袋収納袋チャック部
【図１】
0003213374.tif 000003